(57)【要約】【課題】既製コンクリート杭とフーチングとを接続するために既製コンクリート杭の杭頭に配設される鉄筋を、建設現場での溶接によることなく、効率よく、かつ強固に配設することができるようにした既製コンクリート杭の杭頭構造を提供すること。【解決手段】複数本の鉄筋５を固着した補助端板４を、既製コンクリート杭１の杭頭に配設した端板２上に設置するとともに、この補助端板４を、既製コンクリート杭１の杭頭の外周部を取り巻くように配設されている側板３に、ボルト７により締結した接続プレート６を介して固定する。【選択図】  図１
2004308358.tif 000002
【特許請求の範囲】
【請求項１】
複数本の鉄筋を固着した補助端板を、既製コンクリート杭の杭頭に配設した端板上に設置するとともに、前記補助端板を、既製コンクリート杭の杭頭の外周部を取り巻くように配設されている側板に、ボルトにより締結した接続プレートを介して、固定するようにしたことを特徴とする既製コンクリート杭の杭頭構造。
【請求項２】
複数本の鉄筋を固着した接続プレートを、既製コンクリート杭の杭頭の外周部を取り巻くように配設されている側板に、ボルトにより締結したことを特徴とする既製コンクリート杭の杭頭構造。
【請求項３】
鉄筋にスタッド鉄筋を用いたことを特徴とする請求項１又は２記載の既製コンクリート杭の杭頭構造。
【請求項４】
鉄筋に下端をＬ字形に屈曲した鉄筋を用いたことを特徴とする請求項１、２又は３記載の既製コンクリート杭の杭頭構造。
【発明の詳細な説明】
【０００１】
【発明の属する技術分野】
本発明は、既製コンクリート杭の杭頭構造に関し、特に、既製コンクリート杭とフーチングとを接続するために既製コンクリート杭の杭頭に配設される鉄筋を、建設現場での溶接によることなく、効率よく、かつ強固に配設することができるようにした既製コンクリート杭の杭頭構造に関するものである。
【０００２】
【従来の技術】
従来、既製コンクリート杭の杭頭には、既製コンクリート杭とフーチングとを接続するための鉄筋を配設するようにしている。
この既製コンクリート杭の杭頭に配設される鉄筋は、通常、建設現場で、既製コンクリート杭の杭頭に配設した端板上に直接溶接するようにしている。
【０００３】
【発明が解決しようとする課題】
このように、既製コンクリート杭の杭頭に配設される鉄筋は、建設現場での溶接により配設するようにしているため、作業が天候等に左右され、例えば、雨天時等には作業が行えず、作業工程の進捗に支障を来すという問題があった。
また、建設現場での溶接作業は、作業環境が悪いため、作業効率が低く、また、その品質も、作業者の能力に依存する度合いが大きいため、品質が安定せず、信頼性に乏しいという問題があった。
【０００４】
本発明は、上記従来の既製コンクリート杭の杭頭に配設される鉄筋の建設現場での溶接作業に伴う問題点に鑑み、既製コンクリート杭とフーチングとを接続するために既製コンクリート杭の杭頭に配設される鉄筋を、建設現場での溶接によることなく、効率よく、かつ強固に配設することができるようにした既製コンクリート杭の杭頭構造を提供することを目的とする。
【０００５】
【課題を解決するための手段】
上記目的を達成するため、本第１発明の既製コンクリート杭の杭頭構造は、複数本の鉄筋を固着した補助端板を、既製コンクリート杭の杭頭に配設した端板上に設置するとともに、前記補助端板を、既製コンクリート杭の杭頭の外周部を取り巻くように配設されている側板に、ボルトにより締結した接続プレートを介して、固定するようにしたことを特徴とする。
【０００６】
また、同じ目的を達成するため、本第２発明の既製コンクリート杭の杭頭構造は、複数本の鉄筋を固着した接続プレートを、既製コンクリート杭の杭頭の外周部を取り巻くように配設されている側板に、ボルトにより締結したことを特徴とする。
【０００７】
本第１及び第２発明の既製コンクリート杭の杭頭構造は、既製コンクリート杭の杭頭の外周部を取り巻くように配設されている側板に、ボルトにより締結した接続プレートによって、既製コンクリート杭の杭頭に配設される鉄筋を取り付けるようにしているので、鉄筋を、建設現場での溶接によることなく、効率よく、かつ強固に配設することができる。
【０００８】
この場合において、鉄筋にスタッド鉄筋を用いることができる。
【０００９】
これにより、補助端板又は接続プレートに対する鉄筋の固着を簡易に行うことができる。
【００１０】
また、鉄筋に下端をＬ字形に屈曲した鉄筋を用いることができる。
【００１１】
これにより、鉄筋の鉛直部を既製コンクリート杭の外周に延出して配設することによって、鉄筋で囲まれた面積を大きくすることができ、既製コンクリート杭とフーチングの接続強度を高めることができる。
【００１２】
【発明の実施の形態】
以下、本発明の既製コンクリート杭の杭頭構造の実施の形態を図面に基づいて説明する。
【００１３】
図１〜図２に、本発明の既製コンクリート杭の杭頭構造の第１実施例を示す。
この既製コンクリート杭の杭頭構造は、既製コンクリート杭１、例えば、ＰＨＣ杭、ＳＣ杭、ＰＲＣ杭等の既製コンクリート杭に広く採用することができ、複数本の鉄筋５を固着した補助端板４を、任意の工法により地中に打設された既製コンクリート杭１の杭頭に配設した端板２上に設置するとともに、この補助端板４を、既製コンクリート杭１の杭頭の外周部を取り巻くように配設されている側板３に、ボルト７により締結した接続プレート６を介して、固定するようにしたものである。
【００１４】
この場合において、補助端板４に固着される鉄筋５には、スタッド鉄筋を用いることができ、これにより、補助端板４に対する鉄筋５の固着を簡易に行うことができるものとなる。
このスタッド鉄筋５は、特に限定されるものではないが、既製コンクリート杭１の径、必要とされる地耐力等によろ、直径が１３〜３０ｍｍ程度、長さが５００〜１０００ｍｍ程度のものを一般的に採用するようにする。
そして、スタッド鉄筋５を用いた溶着作業は、現場においても行うことができるが、作業効率、品質の安定性等の点で、工場において行うことが望ましい。
なお、補助端板４に対する鉄筋５の固着は、このほか、通常の溶接や螺合等、任意の固着方法を採用することができる。
【００１５】
補助端板４は、既製コンクリート杭１の杭頭に配設した端板２と同径に形成するようにする。
【００１６】
そして、通常は既製コンクリート杭１の接合に使用される杭頭の外周部を取り巻くように配設されている側板３のねじ孔３１を利用し、このねじ孔３１に螺合されるボルト７を介して、側板３に接続するようにした接続プレート６の凹部６１に、端板２及びこの端板２上に設置した補助端板４を嵌合させ、接続プレート６により抱持するようにして、固定するようにする。
この場合、接続プレート６は、例えば、帯状の鋼板を曲げ加工したものを複数個、例えば、２個〜４個を組み合わせて円筒状になるようにして使用するようにする。
そして、接続プレート６の内周面に、端板２及び補助端板４が嵌合される凹部６１を、その上下の既製コンクリート杭１の側板３のねじ孔３１に対応する位置に、ボルト孔６２、６３を、さらに、ボルト孔６２、６３を形成した位置に、ボルト７の頭部が突出しないようにする凹部６２ａ（６３ａ）を、それぞれ形成するようにしている。
【００１７】
これにより、既製コンクリート杭１を打設した後、鉄筋５を固着した補助端板４を、既製コンクリート杭１の端板２上に設置するとともに、端板２及び補助端板４を、既製コンクリート杭１の杭頭の外周部を取り巻くように配設されている側板３に、ボルト７により締結した接続プレート６により抱持するように固定するようにする。
その後、既製コンクリート杭１の上部にフーチング２０を構築するために、鉄筋（図示省略）を組み、コンクリートを打設するようにする。
【００１８】
図３に、本発明の既製コンクリート杭の杭頭構造の第２実施例を示す。
この既製コンクリート杭の杭頭構造は、複数本の鉄筋５を固着した接続プレート６を、任意の工法により地中に打設された既製コンクリート杭１の杭頭の外周部を取り巻くように配設されている側板３に、ボルト７により締結するようにしたものである。
【００１９】
この場合において、補助端板４に固着される鉄筋５には、スタッド鉄筋を用いることができ、この鉄筋５を溶接するとともに、ボルト挿通孔８１を形成した接続金具８を、接続プレート６にボルト９・ナット１０により固定するようにしている。
【００２０】
そして、上記実施例１と同様、通常は既製コンクリート杭１の接合に使用される杭頭の外周部を取り巻くように配設されている側板３のねじ孔３１を利用し、このねじ孔３１に螺合されるボルト７を介して、側板３に接続するようにした接続プレート６の凹部６１を端板２に嵌合させ、鉄筋５を溶接した接続金具８を固着した接続プレート６を固定するようにする。
この場合、接続プレート６は、例えば、帯状の鋼板を曲げ加工したものを複数個、例えば、２個〜４個を組み合わせて円筒状になるようにして使用するようにする。
そして、接続プレート６の内周面に、端板２が嵌合される凹部６１を、その上下の既製コンクリート杭１の側板３のねじ孔３１に対応する位置に、ボルト孔６２、６３を、さらに、ボルト孔６２、６３を形成した位置に、ボルト７の頭部が突出しないようにする凹部６２ａ及び鉄筋５を溶接した接続金具８が安定して着座する凹部６３ａを、それぞれ形成するようにしている。
【００２１】
これにより、既製コンクリート杭１を打設した後、鉄筋５を溶接した接続金具８を固着した接続プレート６を、既製コンクリート杭１の杭頭の外周部を取り巻くように配設されている側板３に、ボルト７により締結して固定するようにする。
【００２２】
この場合、鉄筋５を溶接した接続金具８の接続プレート６への固定と、接続プレート６の側板３への固定の順序は、逆にすることもできる。
【００２３】
なお、本実施例のその他の構成及び作用は、上記第１実施例と同様である。
【００２４】
図４に、本発明の既製コンクリート杭の杭頭構造の第３実施例を示す。
この既製コンクリート杭の杭頭構造は、鉄筋１１に下端１１ａをＬ字形に屈曲した鉄筋を用いるとともに、その下端１１ａをナット１０ａ、１０ｂによって直接固定した接続プレート６を、任意の工法により地中に打設された既製コンクリート杭１の杭頭の外周部を取り巻くように配設されている側板３に、ボルト７により締結するようにしたものである。
【００２５】
このように、鉄筋１１に下端１１ａをＬ字形に屈曲した鉄筋を用い、鉄筋１１の鉛直部１１ｂを既製コンクリート杭１の外周に延出して配設することによって、鉄筋１１で囲まれた面積を大きくすることができ、既製コンクリート杭１とフーチング（図示省略）の接続強度を高めることができるものとなる。
【００２６】
なお、本実施例のその他の構成及び作用は、上記第１実施例及び第２実施例と同様である。
【００２７】
図５に、本発明の既製コンクリート杭の杭頭構造の第４実施例を示す。
この既製コンクリート杭の杭頭構造は、鉄筋１２に下端１２ａをＬ字形に屈曲したスタッド鉄筋を用い、その下端１２ａを直接溶接した接続プレート６を、任意の工法により地中に打設された既製コンクリート杭１の杭頭の外周部を取り巻くように配設されている側板３に、ボルト７により締結するようにしたものである。
【００２８】
このように、鉄筋１２に下端１２ａをＬ字形に屈曲したスタッド鉄筋を用い、鉄筋１２の鉛直部１２ｂを既製コンクリート杭１の外周に延出して配設することによって、鉄筋１２で囲まれた面積を大きくすることができ、既製コンクリート杭１とフーチング（図示省略）の接続強度を高めることができるとともに、接続プレート６に対する鉄筋５の固着を簡易に行うことができるものとなる。
【００２９】
なお、本実施例のその他の構成及び作用は、上記第１実施例及び第２実施例と同様である。
【００３０】
以上、本発明の既製コンクリート杭の杭頭構造について、複数の実施例に基づいて説明したが、本発明は上記実施例に記載した構成に限定されるものではなく、各実施例に記載した構成を適宜組み合わせる等、その趣旨を逸脱しない範囲において適宜その構成を変更することができるものである。
【００３１】
【発明の効果】
本発明の既製コンクリート杭の杭頭構造によれば、既製コンクリート杭の杭頭の外周部を取り巻くように配設されている側板に、ボルトにより締結した接続プレートによって、既製コンクリート杭の杭頭に配設される鉄筋を取り付けるようにしているので、鉄筋を、建設現場での溶接によることなく、効率よく、かつ強固に配設することができる。
そして、従来の既製コンクリート杭の杭頭に配設される鉄筋の建設現場での溶接作業に伴う、作業が天候等に左右され、作業工程の進捗に支障を来すという問題や、作業環境が悪いため、作業効率が低く、また、作業者の能力に依存する度合いが大きいため、品質が安定せず、信頼性に乏しいという問題を、一挙に解消することができる。
【００３２】
また、鉄筋にスタッド鉄筋を用いることにより、補助端板又は接続プレートに対する鉄筋の固着を簡易に行うことができる。
【００３３】
また、鉄筋に下端をＬ字形に屈曲した鉄筋を用いることにより、鉄筋の鉛直部を既製コンクリート杭の外周に延出して配設することによって、鉄筋で囲まれた面積を大きくすることができ、既製コンクリート杭とフーチングの接続強度を高めることができる。
【図面の簡単な説明】
【図１】本発明の既製コンクリート杭の杭頭構造の第１実施例を示す要部の断面図である。
【図２】同全体断面図である。
【図３】本発明の既製コンクリート杭の杭頭構造の第２実施例を示す断面図である。
【図４】本発明の既製コンクリート杭の杭頭構造の第３実施例を示す断面図である。
【図５】本発明の既製コンクリート杭の杭頭構造の第４実施例を示す断面図である。
【符号の説明】
１    既製コンクリート杭
２    端板
３    側板
４    補助端板
５    鉄筋
６    接続プレート
６１  凹部
６２  ボルト孔
６３  ボルト孔
７    接続ボルト
８    接続金具
８１  ボルト挿通孔
９    ボルト
１０  ナット
１０ａ  ナット
１０ｂ  ナット
１１  鉄筋
１２  鉄筋
【図１】
2004308358.tif 000003
【図２】
2004308358.tif 000004
【図３】
2004308358.tif 000005
【図４】
2004308358.tif 000006
【図５】
2004308358.tif 000007